(57)【要約】【課題】第１空調機に由来するデータを参照することにより、第１空調機についてだけでなく、第１空調機と異なる第２空調機についても、運用規則を遵守しているか否かを判断する。【解決手段】コントローラ１０は、記憶部１５と室温取得部１２ａと実績取得部１２ｂと判断部１２ｃとを備え、第１空調機４０および第２空調機５０ａを含む空調機群を管理する。記憶部１５は、空調機群の運用規則に関する規則データを記憶する。室温取得部１２ａは、第１空調機４０経由で室温データを取得する。実績取得部１２ｂは、第１空調機４０の運用実績に関する実績データを取得する。判断部１２ｃは、規則データ、室温データおよび実績データを参照することにより、第１空調機４０が運用規則を遵守しているか否かを判断し、規則データおよび室温データを参照することにより、第２空調機５０ａが運用規則を遵守しているか否かを判断する。【選択図】図１
2011002151.tif 000002
【特許請求の範囲】
【請求項１】
第１空調機（４０）および第２空調機（５０ａ，５０ｂ，・・・）を含む空調機群を管理するコントローラ（１０）であって、
前記空調機群の運用規則に関する規則データを記憶する記憶部（１５）と、
前記第１空調機経由で室内温度に関する室温データを取得する室温取得部（１２ａ）と、
前記第１空調機の運用実績に関する実績データを取得する実績取得部（１２ｂ）と、
前記規則データ、前記室温データおよび前記実績データを参照することにより、前記第１空調機が前記運用規則を遵守している第１状態にあるか否かを判断するとともに、前記規則データおよび前記室温データを参照することにより、前記第２空調機が前記運用規則を遵守している第２状態にあるか否かを判断する判断部（１２ｃ）と、
を備える、
コントローラ。
【請求項２】
前記判断部（１２ｃ）は、前記室内温度が前記運用規則に基づいて特定される温度条件よりも増エネ側にあるか否かを判断することにより、前記第２状態にあるか否かを判断する、
請求項１に記載のコントローラ（１０）。
【請求項３】
前記判断部（１２ｃ）は、前記運用規則に前記空調機群全体の停止が定められている時間帯以外に、前記室内温度が前記温度条件よりも増エネ側にあるか否かを判断することにより、前記第２状態にあるか否かを判断する、
請求項２に記載のコントローラ（１０）。
【請求項４】
前記判断部（１２ｃ）は、前記第１状態にないと判断される場合に、前記第２状態にあるか否かを判断する、
請求項１から３のいずれかに記載のコントローラ（１０）。
【請求項５】
前記判断部（１２ｃ）による判断の結果に基づいて、前記運用規則に反する前記空調機群全体の違反動作を定量的に表す違反量を算出する違反量算出部（１２ｅ）、
をさらに備える、
請求項１から４のいずれかに記載のコントローラ（１０）。
【請求項６】
前記運用規則に従って、前記第１空調機（４０）を制御する運転制御部（１２ｄ）、
をさらに備える、
請求項１から５のいずれかに記載のコントローラ（１０）。
【請求項７】
前記室温データは、前記第１空調機（４０）が空調する空間における前記室内温度に関するデータである、
請求項１から６のいずれかに記載のコントローラ（１０）。
【発明の詳細な説明】
【技術分野】
【０００１】
本発明は、空調機群を管理するコントローラに関する。
【背景技術】
【０００２】
従来より、空調機の運転実績に関する実績データを取得し、当該実績データを参照することにより当該空調機が運用規則を遵守しているか否かをチェックするコントローラが知られている（例えば、特許文献１の特開２００７−１７２４０６号公報）。
【発明の概要】
【発明が解決しようとする課題】
【０００３】
しかしながら、１のコントローラが複数の空調機を管理する場合において、一部の空調機に関する各種データの取得が困難な場合がある。例えば、空調機が旧型のものである場合や、空調機とコントローラとが異なる製造業者に属する場合等、空調機がコントローラと通信不能な場合である。ところが、利用者にしてみれば、そのような事情の下であっても、自身が使用する空調機の運転状態をまとめて把握したいという要望が強い。
【０００４】
本発明の課題は、第１空調機に由来するデータを参照することにより、第１空調機についてだけでなく、第１空調機と異なる第２空調機についても、運用規則を遵守しているか否かを判断することが可能なコントローラを提供することにある。
【課題を解決するための手段】
【０００５】
第１発明に係るコントローラは、記憶部と、室温取得部と、実績取得部と、判断部とを備え、空調機群を管理する。空調機群は、第１空調機および第２空調機を含む。記憶部は、空調機群の運用規則に関する規則データを記憶する。室温取得部は、第１空調機経由で室内温度に関する室温データを取得する。実績取得部は、第１空調機の運用実績に関する実績データを取得する。判断部は、規則データ、室温データおよび実績データを参照することにより、第１空調機が運用規則を遵守している第１状態にあるか否かを判断するとともに、規則データおよび室温データを参照することにより、第２空調機が運用規則を遵守している第２状態にあるか否かを判断する。
【０００６】
このコントローラは、空調機群が運用規則を遵守しているか否かを判断する。当該判断に際しては、空調機群に含まれる一部の空調機に由来する室温データ等が参照される。従って、一部の空調機（第１空調機）に由来するデータを参照することにより、当該空調機（第１空調機）についてだけでなく、他の空調機（第２空調機）についても、運用規則を遵守しているか否かを判断することができる。
【０００７】
第１発明は、管理対象となる空調機群の一部に室温データおよび実績データを取得不能な空調機が存在する場合に、特に有用である。
【０００８】
第２発明に係るコントローラは、第１発明に係るコントローラであって、判断部は、室内温度が運用規則に基づいて特定される温度条件よりも増エネ側にあるか否かを判断することにより、第２状態にあるか否かを判断する。
【０００９】
ここでは、第２空調機が運用規則を遵守しているか否かが、第１空調機に由来する室内温度が運用規則に従う温度条件よりも増エネ側にあるか否かに応じて判断される。従って、第１空調機経由の室温データを参照することにより、第２空調機が運用規則を遵守しているか否かを判断することができる。
【００１０】
第３発明に係るコントローラは、第２発明に係るコントローラであって、判断部は、運用規則に空調機群全体の停止が定められている時間帯以外に、室内温度が温度条件よりも増エネ側にあるか否かを判断することにより、第２状態にあるか否かを判断する。
【００１１】
一般に、運用規則に空調機群全体の停止が定められている時間帯においては、第２空調機が運用規則を遵守しているか否かを比較的容易に判断し得る。しかしながら、そのような時間帯以外においては、第２空調機が運用規則を遵守しているか否かを判断することは比較的困難である。ところが、第３発明によれば、そのような時間帯以外においては、第２空調機が運用規則を遵守しているか否かが、第１空調機に由来する室内温度が運用規則に従う温度条件よりも増エネ側にあるか否かに応じて判断される。従って、運用規則に空調機群全体の停止が定められている時間帯以外においても、第２空調機が運用規則を遵守しているか否かを容易に判断することができる。
【００１２】
第４発明に係るコントローラは、第１発明から第３発明のいずれかに係るコントローラであって、判断部は、第１状態にないと判断される場合に、第２状態にあるか否かを判断する。
【００１３】
ここでは、一部の空調機（第１空調機）が運用規則を遵守している前提の下で、他の空調機（第２空調機）が運用規則を遵守しているか否かを判断する。従って、第２空調機が運用規則を遵守しているか否かをより正確に判断することができる。
【００１４】
第５発明に係るコントローラは、第１発明から第４発明のいずれかに係るコントローラであって、違反量算出部をさらに備える。違反量算出部は、判断部による判断の結果に基づいて、違反量を算出する。違反量は、運用規則に反する空調機群全体の違反動作を定量的に表すものである。
【００１５】
ここでは、空調機群が運用規則を遵守しているか否かの判断の結果に基づいて、空調機群全体の違反量が算出される。従って、運用規則に反する空調機群全体の違反動作を定量的に評価することができる。
【００１６】
第６発明に係るコントローラは、第１発明から第５発明のいずれかに係るコントローラであって、運転制御部をさらに備える。運転制御部は、運用規則に従って、第１空調機を制御する。
【００１７】
このコントローラは、運用規則に従って第１空調機を制御する。従って、第１空調機、ひいては、第２空調機が運用規則を遵守しているか否かをより正確に判断することができる。
【００１８】
第７発明に係るコントローラは、第１発明から第６発明のいずれかに係るコントローラであって、室温データは、第１空調機が空調する空間における室内温度に関するデータである。
【００１９】
ここでは、第２空調機が運用規則を遵守しているか否かの判断時に参照される室内温度が、第１空調機の空調対象空間の温度である。従って、第２空調機の空調対象空間の室内温度が不明であっても、第２空調機が運用規則を遵守しているか否かを判断することができる。
【発明の効果】
【００２０】
本発明に係るコントローラは、空調機群が運用規則を遵守しているか否かを判断する。当該判断に際しては、空調機群に含まれる一部の空調機に由来する室温データ等が参照される。従って、一部の空調機（第１空調機）に由来するデータを参照することにより、当該空調機（第１空調機）についてだけでなく、他の空調機（第２空調機）についても、運用規則を遵守しているか否かを判断することができる。
【図面の簡単な説明】
【００２１】
【図１】本発明の一実施形態に係る空調機管理システムの構成図。
【図２】新型空調機およびコントローラの構成図。
【図３】旧型空調機および接点監視装置の構成図。
【図４】遠隔管理サーバの構成図。
【図５】管理端末の構成図。
【図６】コントローラが違反量を算出する処理の流れを示すフローチャート。
【発明を実施するための形態】
【００２２】
以下、図面を参照して、本発明の一実施形態に係るコントローラ１０を含む空調機管理システム１００について説明する。
【００２３】
＜空調機管理システム＞
（１）全体構成
図１に示す空調機管理システム１００は、建物１内に設置されている複数の空調機、より具体的には、新型空調機４０および旧型空調機５０ａ，５０ｂ，・・・を管理するためのシステムである。なお、簡単のために、図１においては、建物１が１つしか示されていないが、実際には、多数の建物１が存在しているものとする。空調機管理システム１００は、全国に点在する多数の建物１における省エネ活動を、当該多数の建物１を統括する組織の本部３において管理することを支援するためのシステムである。本実施形態における省エネ活動とは、本部３の管理対象である多数の建物１内の全ての空調機４０，５０ａ，５０ｂ，・・・を対象とするものである。
【００２４】
空調機管理システム１００は、主として、コントローラ１０と、接点監視機器３０ａ，３０ｂ，・・・と、電力計７０と、遠隔管理サーバ２０と、管理端末８０とから構成されている。コントローラ１０、接点監視機器３０ａ，３０ｂ，・・・および電力計７０は、建物１内に設置されている。遠隔管理サーバ２０は、空調機４０，５０ａ，５０ｂ，・・・を遠隔から管理する遠隔管理サービス（省エネ活動を支援するサービスを含む）を提供する組織により運営される、建物１の遠隔に存在する遠隔管理センター２内に設置されている。管理端末８０は、多数の建物１を統括する組織の本部３内に設置されている。
【００２５】
コントローラ１０および接点監視機器３０ａ，３０ｂ，・・・は、建物１内に施設されているローカルエリアネットワーク（以下、ＬＡＮ）５ａに接続されており、互いにデータ通信を行っている。また、電力計７０も、ＬＡＮ５ａに接続されており、電力計７０の計測値は、コントローラ１０により収集される。コントローラ１０は、新型空調機４０を管理するとともに、接点監視機器３０ａ，３０ｂ，・・・経由でそれぞれ旧型空調機５０ａ，５０ｂ，・・・を管理する。コントローラ１０および遠隔管理サーバ２０は、インターネット６に接続されており、互いにデータ通信を行っている。また、管理端末８０も、インターネット６に接続されており、遠隔管理サーバ２０との間でデータ通信を行っている。
【００２６】
なお、図１においては、建物１内にコントローラ１０が１つしか示されていないが、それぞれ１又は複数の空調機（新型空調機４０および旧型空調機５０ａ，５０ｂ，・・・を任意の数ずつ組み合わせたもの。新型空調機４０が存在しなくともよいし、旧型空調機５０ａ，５０ｂ，・・・が存在しなくともよい。）を管理する複数のコントローラ１０が設置されている建物１も存在しているものとする。
【００２７】
コントローラ１０は、本部３の職員により策定される省エネ運用規則に反する空調機４０，５０ａ，５０ｂ，・・・の違反動作を検出し、建物１単位で違反量Ｄとして定量化する。全ての建物１についての、建物１単位の違反量Ｄは、遠隔管理サーバ２０が本部３向けに作成する省エネ活動の報告書の元データとなる。報告書は、本部３の職員の元に配信され、本部３の職員による空調機４０，５０ａ，５０ｂ，・・・の運用の是正（例えば、省エネ運用規則の是正）に利用される。
【００２８】
（２）新型空調機
以下、図２を参照しつつ、新型空調機４０について説明する。
【００２９】
新型空調機４０は、室外機４１と、室外機４１に冷媒配管を介して接続される１又は複数の室内機４２とを有しており、全体として、図示されない圧縮機や熱交換器等から構成される１の冷媒回路を形成している。室外機４１、１又は複数の室内機４２およびコントローラ１０は、新型空調機４０専用の通信線５ｂを介し、互いに信号の授受を行っている。
【００３０】
室内機４２の制御部４５は、リモコン４６又はコントローラ１０からの運転指令（運転パラメータの変更を命じる指令であり、例えば、室内機４２の起動又は停止を命じたり、室内機４２の設定温度の変更を命じたり、室内機４２の運転モードの変更を命じたり、室内機４２の設定風量の変更を命じたり、能力制限レベルの変更を命じたりするもの。以下、同じ。）に従って、室外機４１の制御部４１ａと協調しつつ、冷媒回路に含まれる各種部品の動作を制御し、室内を空調する。具体的には、圧縮機の周波数、各種ファンの回転数および各種弁の開度の調整等を行う。なお、リモコン４６は、運転指令の入力を建物１内の利用者から受け付ける操作インタフェース機器であり、制御部４５に１対１、又は、１対多で専用の通信線５ｃを介して接続されている。
【００３１】
また、室内機４２の制御部４５は、室内機４２に関する情報（以下、監視データという）をコントローラ１０からの命令に応じてコントローラ１０に送信する。室内機４２の監視データには、室内機４２の運転パラメータ（起動／停止の起動状態、設定温度、冷房／暖房／送風等の運転モードおよび設定風量を含む）、室内温度、室内機４２に含まれる各種部品の状態値（例えば、室内ファンの回転数、冷媒回路の所定の位置における冷媒の温度および圧力を含む）、およびリモコン４６操作の履歴を示す情報が含まれる。
【００３２】
一方、室外機４１の制御部４１ａは、室外機４１に関する情報（以下、監視データという）をコントローラ１０からの命令に応じてコントローラ１０に送信する。室外機４１の監視データには、室外機４１の運転パラメータ（圧縮機の上限周波数、冷媒回路の高低圧差および能力制限レベルを含む）、外気温度、および室外機４１に含まれる各種部品の状態値（例えば、圧縮機の周波数、室外ファンの回転数、冷媒回路の所定の位置における冷媒の温度および圧力を含む）を示す情報が含まれる。
【００３３】
なお、室内温度、外気温度、ならびに室内機４２および室外機４１に含まれる各種部品の状態値は、図示されないセンサ等により検知される。室内温度を計測するセンサは、室内機４２（室内機４２が複数存在する場合には、代表の室内機４２）の空気吸込口付近に取り付けられており、当該室内機４２の空気吸込口付近の空気の温度、つまり、当該室内機４２が空調する空間内の温度を計測する。外気温度を計測するセンサは、室外機４１のケーシング内の適当な位置に取り付けられており、建物１付近の屋外の空気の温度を計測する。
【００３４】
ところで、新型空調機４０は、３段階の能力制限レベルで動作可能に設計されている。より具体的には、新型空調機４０は、能力が制限されない無制限モード（通常モード）と、無制限モードで動作する場合の約７０％の消費電力量で動作するように制御される能力制限モードＩと、無制限モードで動作する場合の約４０％の消費電力量で動作するように制御される能力制限モードＩＩとの間を切り換えられる。能力制限モードＩおよびＩＩは、圧縮機の周波数を制限することにより実現される。
【００３５】
（３）旧型空調機
以下、図３を参照しつつ、旧型空調機５０ａについて説明するが、その他の旧型空調機５０ｂ，・・・についても同様であるものとする。
【００３６】
旧型空調機５０ａは、室外機５１と、室外機５１に冷媒配管を介して接続される１又は複数の室内機５２とを有しており、全体として、図示されない圧縮機や熱交換器等から構成される１の冷媒回路を形成している。室外機５１、１又は複数の室内機５２および接点監視機器３０ａは、旧型空調機５０ａ専用の通信線５ｄを介し、互いに信号の授受を行っている。
【００３７】
室内機５２の制御部５５は、リモコン５６又はコントローラ１０からの運転指令（運転パラメータの変更を命じる指令であり、例えば、室内機５２の起動又は停止を命じたり、室内機５２の設定温度の変更を命じたり、室内機５２の運転モードの変更を命じたり、室内機５２の設定風量の変更を命じたり、能力制限レベルの変更を命じたりするもの。以下、同じ。）に従って、室外機５１の制御部５１ａと協調しつつ、冷媒回路に含まれる各種部品の動作を制御し、室内を空調する。具体的には、圧縮機の周波数、各種ファンの回転数および各種弁の開度の調整等を行う。なお、コントローラ１０から旧型空調機５０ａに対しては、旧型空調機５０ａ全体の起動又は停止を命じる運転指令しか送れないものとする。リモコン５６は、室内機５２に対する運転指令の入力を建物１内の利用者から受け付ける操作インタフェース機器であり、制御部５５に１対１、又は、１対多で専用の通信線５ｅを介して接続されている。
【００３８】
室外機５１の制御部５１ａは、旧型空調機５０ａに関する情報（以下、監視データという）を接点監視機器３０ａからの命令に応じて接点監視機器３０ａに送信する。本実施形態では、旧型空調機５０ａの監視データとしては、旧型空調機５０ａの起動／停止の起動状態に関する運転パラメータのみが送信されるようになっている。
【００３９】
ところで、旧型空調機５０ａも、新型空調機４０と同様に、３段階の能力制限レベルで動作可能に設計されている。より具体的には、旧型空調機５０ａは、能力が制限されない無制限モード（通常モード）と、能力制限モードＩと、能力制限モードＩＩとの間を切り換えられる。能力制限モードＩおよびＩＩは、圧縮機の周波数を制限することにより実現される。
【００４０】
（４）コントローラ
以下、図２を参照しつつ、コントローラ１０について説明する。
【００４１】
コントローラ１０は、主として通信部１１、制御部１２および記憶部１５から構成されており、新型空調機４０および旧型空調機５０ａ，５０ｂ，・・・を監視および制御する機能を有している。
【００４２】
通信部１１は、コントローラ１０をＬＡＮ５ａひいてはインターネット６、および新型空調機４０専用の通信線５ｂに接続可能にするネットワークインタフェースである。
【００４３】
制御部１２は、主としてＣＰＵ、ＲＯＭおよびＲＡＭから構成されており、記憶部１５に記憶されているプログラムを読み出して実行することにより、温度取得部１２ａ、実績取得部１２ｂ、判断部１２ｃ、運転制御部１２ｄおよび違反量算出部１２ｅ等として動作する。
【００４４】
制御部１２は、所定の時間間隔で（本実施形態では、１分毎に）、空調機４０，５０ａ，５０ｂ，・・・の監視データを取得する。より具体的には、温度取得部１２ａは、所定の時間間隔で（本実施形態では、１分毎に）、室内機４２の空気吸込口付近に取り付けられているセンサの出力値である室温データを、当該室内機４２の制御部４５経由で取得するとともに、室外機４１のケーシング内に取り付けられているセンサの出力値である外気温データを、室外機４１の制御部４１ａ経由で取得する。実績取得部１２ｂは、所定の時間間隔で（本実施形態では、１分毎に）、室内機４２の運転実績に関する実績データを、当該室内機４２の制御部４５から取得するとともに、室外機４１の運転実績に関する実績データ、室外機４１の制御部４１ａから取得する。また、実績取得部１２ｂは、所定の時間間隔で（本実施形態では、１分毎に）、旧型空調機５０ａ，５０ｂ，・・・の監視データをそれぞれ旧型空調機５０ａ，５０ｂ，・・・からそれぞれ接点監視機器３０ａ，３０ｂ，・・・経由で取得する。
【００４５】
また、制御部１２は、所定の時間間隔で（本実施形態では、１０分毎に）、電力計７０の計測値である電力量データを取得する。電力計７０は、空調機４０，５０ａ，５０ｂ，・・・全体における消費電力量を計測可能なように配備されている。
【００４６】
制御部１２が取得した監視データおよび電力量データは、記憶部１５内に保存される。記憶部１５内の監視データおよび電力量データは、コントローラ１０と遠隔管理サーバ２０との所定の時間間隔での（本実施形態では、３０分毎の）定期通信時に、インターネット６を介して遠隔管理サーバ２０にアップロードされる。また、当該定期通信時には、新型空調機４０および旧型空調機５０ａ，５０ｂ，・・・を制御するための制御データ（運転スケジュールの形式の省エネ運用規則を含む）が、インターネット６を介して遠隔管理サーバ２０からダウンロードされ、記憶部１５内に保存される。なお、コントローラ１０と遠隔管理サーバ２０との通信は、コントローラ１０がＷｅｂクライアントとして動作し、遠隔管理サーバ２０がＷｅｂサーバとして動作することにより実現される。
【００４７】
記憶部１５内の運転スケジュールは、以下のように処理される。つまり、運転制御部１２ｄは、記憶部１５内の運転スケジュールに従って、適当な運転指令を適当なタイミングで適当な空調機４０，５０ａ，５０ｂ，・・に送信する。
【００４８】
例えば、「ある室内機４２に、毎日９時から１８時まで、設定温度２７℃で、冷房モードでの運転を行わせる」という運転スケジュールが組まれている場合には、運転制御部１２ｄは、当該室内機４２に対し、毎日９時になると、起動指令とともに、設定温度を２７℃に、運転モードを冷房モードに設定する指令を送信する。さらに、運転制御部１２ｄは、１８時までの間、当該室内機４２の運転パラメータを継続的に監視し、運転スケジュールに反し動作していることが検出されると、その所定の時間後（本実施形態では、３０分後）に、当該室内機４２に対し、同様の指令を再度送信する。また、運転制御部１２ｄは、１８時になると、当該室内機４２に対し、停止指令を送信する。また、「ある室内機４２を毎日２０時から翌朝７時まで停止させる」という運転スケジュールが組まれている場合には、運転制御部１２ｄは、当該室内機４２に対し、毎日２０時になると、停止指令を送信する。さらに、運転制御部１２ｄは、翌朝７時までの間、当該室内機４２の運転パラメータを継続的に監視し、運転スケジュールに反し起動していることが検出されると、その所定の時間後（本実施形態では、３０分後）に、当該室内機４２に対し、停止指令を再度送信する。
【００４９】
また、「旧型空調機５０ａに、毎日９時から１８時まで、設定温度２７℃で、冷房モードでの運転を行わせる」という運転スケジュールが組まれている場合には、運転制御部１２ｄは、旧型空調機５０ａに対し、毎日９時になると、起動指令を送信する。また、運転制御部１２ｄは、１８時になると、旧型空調機５０ａに対し、停止指令を送信する。また、「旧型空調機５０ａを毎日２０時から翌朝７時まで停止させる」という運転スケジュールが組まれている場合には、運転制御部１２ｄは、旧型空調機５０ａに対し、毎日２０時になると、停止指令を送信する。さらに、運転制御部１２ｄは、翌朝７時までの間、旧型空調機５０ａの運転パラメータを継続的に監視し、運転スケジュールに反し起動していることが検出されると、その所定の時間後（本実施形態では、３０分後）に、旧型空調機５０ａに対し、停止指令を再度送信する。
【００５０】
なお、新型空調機４０および旧型空調機５０ａ，５０ｂ，・・上では、コントローラ１０からのものであるか、リモコン４６，５６からのものであるかに関わらず、新型空調機４０および旧型空調機５０ａ，５０ｂ，・・が受け取った最新の運転指令が優先的に実行される。
【００５１】
ところで、上記のとおり、コントローラ１０から旧型空調機５０ａ，５０ｂ，・・・に対しては、旧型空調機５０ａ，５０ｂ，・・・全体の起動又は停止を命じる運転指令しか送れないようになっている。そうすると、詳細な省エネ運用規則を運転スケジュールの形式でコントローラ１０に設定しておくことにより、旧型空調機５０ａ，５０ｂ，・・・をコントローラ１０経由で詳細に制御することはできないことになる。そこで、旧型空調機５０ａ，５０ｂ，・・・に関する省エネ運用規則は、運転スケジュールの形式で遠隔管理サーバ２０からコントローラ１０にダウンロードされるものの、それとは別に、建物１内の利用者に例えばＦＡＸ等により配信されるようになっている。つまり、主として、旧型空調機５０ａ，５０ｂ，・・・に関する省エネ運用規則は、建物１内の利用者のリモコン５６操作により、旧型空調機５０ａ，５０ｂ，・・・に直接手動で設定されるよう運用されている。
【００５２】
また、制御部１２は、時間Ｔ１（本実施形態では、５分）の間隔で、記憶部１５内の監視データ、電力量データおよび運転スケジュールを参照し、直前の時間Ｔ１における違反量Ｄを算出する。
【００５３】
違反量Ｄとは、直前の時間Ｔ１の間の運転スケジュールに反する全ての空調機４０，５０ａ，５０ｂ，・・の違反動作のうち、運転スケジュールよりも増エネルギーに寄与するものを所定のルールに沿って定量化したものである。当該ルールとしては、違反時間（違反動作が行われていた時間）、原単位に換算された違反時間、違反エネルギー量（違反動作により所定のエネルギー量から増減したエネルギー量）、および原単位に換算された違反エネルギー量などとして定量化するというものがある。エネルギー量は、例えば、現実の設定温度から運転スケジュールによる設定温度を減じたものを違反時間に乗ずることにより算出される。コントローラ１０が違反量Ｄを算出する処理の流れ（図６参照）については、後述する。
【００５４】
その後、制御部１２は、遠隔管理サーバ２０との定期通信時に、違反量Ｄのデータを遠隔管理サーバ２０にアップロードする。
【００５５】
（５）接点監視機器
以下、図３を参照しつつ、接点監視機器３０ａについて説明するが、その他の接点監視機器３０ｂ，・・・についても同様であるものとする。
【００５６】
接点監視機器３０ａは、主として通信部３１、制御部３２および記憶部３５から構成されている。接点監視機器３０ａは、リモートＩ／Ｏコントローラである。
【００５７】
通信部３１は、接点監視機器３０ａをＬＡＮ５ａおよび旧型空調機５０ａ専用の通信線５ｄに接続可能にするネットワークインタフェースである。
【００５８】
制御部３２は、主としてＣＰＵ、ＲＯＭおよびＲＡＭから構成されており、記憶部３５に記憶されているプログラムを読み出して実行する。制御部３２は、旧型空調機５０ａの監視データをコントローラ１０からの命令に応じて室外機５１の制御部５１ａから取得し、コントローラ１０に送信する。しかしながら、上記のとおり、制御部３２が取得可能な旧型空調機５０ａの監視データは、旧型空調機５０ａの起動／停止の起動状態に関する運転パラメータのみである。つまり、制御部３２は、他の運転パラメータ、ならびに室内温度、外気温度、各種部品の状態値、およびリモコン５６操作の履歴等を示す情報については取得できないようになっている。
【００５９】
また、制御部３２は、旧型空調機５０に対する運転指令（起動指令又は停止指令）をコントローラ１０から受け取ると、旧型空調機５０に転送する。
【００６０】
（６）遠隔管理サーバ
図４に示すように、遠隔管理サーバ２０は、主として通信部２１、制御部２２、出力部２３、入力部２４および記憶部２５から構成されるサーバコンピュータであり、コントローラ１０経由で新型空調機４０および旧型空調機５０ａ，５０ｂ，・・・を監視および制御する機能を有している。遠隔管理サーバ２０は、Ｗｅｂサーバ機能を有しており、Ｗｅｂクライアント機能を有するコントローラ１０および管理端末８０からのＨＴＴＰ接続を受け付けている。従って、遠隔管理サーバ２０からは、原則としてコントローラ１０および管理端末８０にアクセスすることができないものとする。
【００６１】
通信部２１は、遠隔管理サーバ２０をインターネット６に接続可能にするネットワークインタフェースである。
【００６２】
制御部２２は、主としてＣＰＵ、ＲＯＭおよびＲＡＭから構成されており、記憶部２５に記憶されているプログラムを読み出して実行する。空調機４０，５０ａ，５０ｂ，・・・の管理者（省エネ活動の管理者である本部３の職員、および、本部３の職員に依頼を受けた遠隔管理センターの職員を含む。）は、制御部２２に対し、空調機４０，５０ａ，５０ｂ，・・・の制御データ（運転スケジュールの形式の省エネ運用規則を含む。）を受け渡すことができる。なお、制御部２２へのアクセスは、入力部２４、又はインターネット６に接続されているＷｅｂクライアント機能を有する任意の端末（管理端末８０を含む。）を介して行われる。制御部２２は、コントローラ１０と遠隔管理サーバ２０との定期通信時にコントローラ１０にダウンロードされるよう、当該制御データを記憶部２５内の適当なディレクトリに保存する。
【００６３】
出力部２３は、主としてディスプレイおよびスピーカから構成されており、入力部２４は、主としてマウスおよびキーボードから構成されている。
【００６４】
記憶部２５は、主としてハードディスクから構成されており、機器情報データベース２５ａを保持している。機器情報データベース２５ａには、コントローラ１０から送られてくる空調機４０，５０ａ，５０ｂ，・・・の各種データ（監視データ、電力量データおよび違反量Ｄのデータを含む。）が適当な形式で蓄積される。機器情報データベース２５ａ内の各種データは、遠隔管理サーバ２０が提供する報告書配信サービス、異常検知サービスなどの各種遠隔管理サービスに利用される。
【００６５】
報告書配信サービスとしては、多数の建物１についての多数の違反量Ｄのデータが分析され、本部３に属する多数の建物１における省エネ運用規則の浸透度合い等が評価される。例えば、違反量Ｄが所定の閾値を超える建物１の割合（遵守率）が算出される。分析の結果は、報告書の形式で本部３の職員に配信される。配信の態様としては、本部３の職員が管理端末８０から遠隔管理サーバ２０にアクセスし管理端末８０にダウンロードする態様、所定のタイミングで本部３の職員宛の電子メールアドレスに送信する態様、所定のタイミングでＦＡＸ送信又は郵送する態様などがある。
【００６６】
（７）管理端末
図５に示すように、管理端末８０は、主として通信部８１、制御部８２、出力部８３、入力部８４および記憶部８５から構成されており、本部３の職員が日常業務に使用する汎用のパーソナルコンピュータである。管理端末８０には、Ｗｅｂクライアント機能を有するＷｅｂブラウザがインストールされている。本部３の職員は、Ｗｅｂサーバである遠隔管理サーバ２０からＷｅｂブラウザ上に建物１の管理画面（報告書の閲覧画面を含む。）を取得することにより、建物１の管理を行うことができる。
【００６７】
通信部８１は、管理端末８０をインターネット６に接続可能するネットワークインタフェースである。制御部８２は、主としてＣＰＵ、ＲＯＭおよびＲＡＭから構成されている。出力部８３は、主としてディスプレイおよびスピーカから構成されており、入力部８４は、主としてマウスおよびキーボードから構成されている。記憶部８５は、主としてハードディスクから構成されている。
【００６８】
（８）コントローラが違反量Ｄを算出する処理の流れ
以下、図６を参照しつつ、コントローラ１０が同じ建物１内の新型空調機４０および旧型空調機５０ａ，５０ｂ，・・・の違反動作を検出し、違反量Ｄを算出する処理の流れを説明する。図６に示す処理は、時間Ｔ１（本実施形態では、５分）間隔で繰り返される。
【００６９】
まず、ステップＳ１において、判断部１２ｃは、直前の時間Ｔ１に新型空調機４０が運転スケジュールを遵守している状態にあったか否かを判断する。より具体的には、判断部１２ｃは、記憶部１５内を参照し、新型空調機４０の直前の時間Ｔ１における運転スケジュールを特定するとともに、監視データ（実績データおよび室温データを含む。）を参照することにより、新型空調機４０の直前の時間Ｔ１における現実の運転状態を特定する。そして、特定した運転スケジュールと現実の運転状態とを比較することにより、直前の時間Ｔ１における運転スケジュールに反する新型空調機４０の増エネルギー側の違反動作を検出する。増エネルギー側の違反動作が検出された場合、つまり、新型空調機４０が運転スケジュールを遵守している状態になかったと判断される場合には、ステップＳ２に進み、増エネルギー側の違反動作が検出されなかった場合、つまり、新型空調機４０が運転スケジュールを遵守している状態にあったと判断される場合には、ステップＳ３に進む。
【００７０】
ステップＳ２においては、違反量算出部１２ｅは、直前の時間Ｔ１における新型空調機４０の違反動作を定量化し、違反量Ｄに計上する。例えば、違反動作を違反時間として定量化する場合には、違反量Ｄの値に時間Ｔ１を加算する。また、違反動作を違反エネルギー量として定量化する場合には、監視データ（実績データ、室温データおよび外気温データを含む）および電力量データを参照することにより、直前の時間Ｔ１における違反エネルギー量を算出し、違反量Ｄの値に加算する。ステップＳ２の終了後、処理は終了する。
【００７１】
ステップＳ３，Ｓ４およびＳ６は、直前の時間Ｔ１に旧型空調機５０ａ，５０ｂ，・・・の少なくとも１台が運転スケジュールを遵守している状態になかったか否かを判断するための処理である。
【００７２】
ステップＳ３においては、判断部１２ｃは、記憶部１５内の運転スケジュールによれば、直前の時間Ｔ１が、建物１内の全ての空調機４０，５０ａ，５０ｂ，・・・の停止が定められている時間帯であったか否かを判断する。そのような時間帯であったと判断される場合には、ステップＳ４に進み、そのような時間帯でなかったと判断される場合には、ステップＳ６に進む。
【００７３】
ステップＳ４においては、判断部１２ｃは、直前の時間Ｔ１における建物１内の全ての空調機４０，５０ａ，５０ｂ，・・・の消費電力量の単位時間当たりの増分が所定の閾値を超えているか否かを判断する。当該増分は、記憶部１５内の電力量データを参照することにより導出される。また、当該閾値は、待機電力量の計測値を基準として、事前に設定されているものとする。そして、当該増分が当該閾値を超えていると判断される場合（つまり、直前の時間Ｔ１に旧型空調機５０ａ，５０ｂ，・・・の少なくとも１台が運転スケジュールを遵守している状態になかったと判断される場合）には、ステップＳ５に進み、超えていないと判断される場合（つまり、直前の時間Ｔ１に全ての旧型空調機５０ａ，５０ｂ，・・・が運転スケジュールを遵守している状態にあったと判断される場合）には、処理は終了する。
【００７４】
ステップＳ５は、直前の時間Ｔ１に新型空調機４０が運転スケジュールを遵守している状態にあったが、旧型空調機５０ａ，５０ｂ，・・・の少なくとも１台が運転スケジュールを遵守している状態になかったと判断される場合に実行される処理である。
【００７５】
ステップＳ５においては、違反量算出部１２ｅは、直前の時間Ｔ１における旧型空調機５０ａ，５０ｂ，・・・の違反動作を定量化し、違反量Ｄに計上する。例えば、違反動作を違反時間として定量化する場合には、違反量Ｄの値に時間Ｔ１を加算する。また、違反動作を違反エネルギー量として定量化する場合には、監視データ（実績データ、室温データおよび外気温データを含む）および電力量データの中から必要なデータを参照することにより、直前の時間Ｔ１における違反エネルギー量を算出し、違反量Ｄの値に加算する。あるいは、違反動作を違反エネルギー量として定量化する場合には、ステップＳ４の閾値を超える消費電力量を直前の時間Ｔ１における違反エネルギー量とみなし、違反量Ｄの値に加算してもよい。ステップＳ５の終了後、処理は終了する。
【００７６】
ステップＳ６においては、判断部１２ｃは、直前の時間Ｔ１における建物１内の室内温度が所定の温度条件よりも増エネルギー側にあるか否かを判断する。当該室内温度は、記憶部１５内の室温データを参照することにより、直前の時間Ｔ１における新型空調機４０の室内機４２付近の温度として導出される。また、当該温度条件は、運転スケジュールに定められている設定温度から増エネルギー側にΔＴ（本実施形態では、１℃）の範囲内とされるが、他の実施形態では、他の温度条件を採用することも可能である。そして、当該室内温度が当該温度条件よりも増エネルギー側にあると判断される場合（つまり、直前の時間Ｔ１に旧型空調機５０ａ，５０ｂ，・・・の少なくとも１台が運転スケジュールを遵守している状態になかったと判断される場合）には、ステップＳ７に進み、増エネルギー側にないと判断される場合（つまり、直前の時間Ｔ１に全ての旧型空調機５０ａ，５０ｂ，・・・が運転スケジュールを遵守している状態にあったと判断される場合）には、処理は終了する。
【００７７】
ステップＳ７は、直前の時間Ｔ１に新型空調機４０が運転スケジュールを遵守している状態にあったが、旧型空調機５０ａ，５０ｂ，・・・の少なくとも１台が運転スケジュールを遵守している状態になかったと判断される場合に実行される処理である。
【００７８】
ステップＳ７においては、違反量算出部１２ｅは、直前の時間Ｔ１における旧型空調機５０ａ，５０ｂ，・・・の違反動作を定量化し、違反量Ｄに計上する。例えば、違反動作を違反時間として定量化する場合には、違反量Ｄの値に時間Ｔ１を加算する。また、違反動作を違反エネルギー量として定量化する場合には、監視データ（実績データ、室温データおよび外気温データを含む）および電力量データの中から必要なデータを参照することにより、直前の時間Ｔ１における違反エネルギー量を算出し、違反量Ｄの値に加算する。あるいは、違反動作を違反エネルギー量として定量化する場合には、ステップＳ４の閾値を超える消費電力量を直前の時間Ｔ１における違反エネルギー量とみなし、違反量Ｄの値に加算してもよい。ステップＳ７の終了後、処理は終了する。
【００７９】
＜特徴＞
（１）
上記コントローラ１０は、同じ建物１内の空調機４０，５０ａ，５０ｂ，・・・群が運転スケジュールを遵守しているか否かを判断するよう構成されている。しかしながら、旧型空調機５０ａ，５０ｂ，・・・については、コントローラ１０が監視データ、室温データおよび外気温データ等の各種データを詳細に収集できない。ところが、旧型空調機５０ａ，５０ｂ，・・・についての判断に際しては、新型空調機４０に由来する室温データ等が参照されるようになっている。このように、新型空調機４０に由来する室温データ等を参照することにより、新型空調機４０についてだけでなく、旧型空調機５０ａ，５０ｂ，・・・についても、運転スケジュールを遵守しているか否かを判断することができるようになっている。
【００８０】
より具体的には、上記コントローラ１０は、旧型空調機５０ａ，５０ｂ，・・・が運転スケジュールを遵守しているか否かを、新型空調機４０経由の室内温度が運転スケジュールに従う温度条件よりも増エネルギー側にあるか否かを１の基準に用いて判断している。
【００８１】
（２）
上記実施形態では、新型空調機４０が運転スケジュールを遵守しており、運転スケジュールによれば、建物１内の全ての空調機４０，５０ａ，５０ｂ，・・・の停止が定められている時間帯であり、かつ、建物１内の全ての空調機４０，５０ａ，５０ｂ，・・・の消費電力量の単位時間当たりの増分が所定の閾値を超えているという条件下で、旧型空調機５０ａ，５０ｂ，・・・の少なくとも１台が運転スケジュールを遵守していないと判断している。
【００８２】
また、新型空調機４０が運転スケジュールを遵守しており、運転スケジュールによれば、建物１内の全ての空調機４０，５０ａ，５０ｂ，・・・の停止が定められている時間帯ではなく、かつ、建物１内の室内温度が所定の温度条件よりも増エネルギー側にあるという条件下で、旧型空調機５０ａ，５０ｂ，・・・の少なくとも１台が運転スケジュールを遵守していないと判断している。
【００８３】
つまり、旧型空調機５０ａ，５０ｂ，・・・の少なくとも１台が運転スケジュールを遵守しているか否かが精度よく判断されるようになっている。
【００８４】
＜変形例＞
（１）
上記実施形態において、接点監視機器３０ａ，３０ｂ，・・・が存在せず、旧型空調機５０ａ，５０ｂ，・・・がコントローラ１０に接続されていなくてもよい。つまり、本発明は、コントローラ１０が監視データ、室温データおよび外気温データ等の各種データを詳細に収集できない空調機が存在している場合のみならず、各種データを一切収集できないような空調機が存在している場合にも有用である。
【００８５】
（２）
上記実施形態において、ステップＳ２の終了後、処理がステップＳ３に進むようになっていてもよい。かかる場合には、新型空調機４０が運転スケジュールを遵守していない場合であっても、旧型空調機５０ａ，５０ｂ，・・・の違反動作が違反量Ｄに計上され得ることになる。従って、違反動作を違反エネルギー量として定量化する場合等は特に、建物１全体での違反量Ｄがより正確に算出される。
【００８６】
（３）
上記実施形態において、建物１単位の違反量Ｄは、コントローラ１０が算出するのではなく、コントローラ１０から遠隔管理サーバ２０に送信される監視データおよび電力量データ等の各種データを参照することにより、遠隔管理サーバ２０が算出するようになっていてもよい。
【００８７】
（４）
上記実施形態では、違反量Ｄは、空調機４０，５０ａ，５０ｂ，・・・が運転スケジュールを増エネルギー側に違反する場合の動作を定量化したものになっている。しかしながら、違反量Ｄを、空調機４０，５０ａ，５０ｂ，・・・が運転スケジュールを省エネルギー側に違反する場合の動作を定量化したものとして算出してもよし、増エネルギー側および省エネルギー側の両方に違反する場合の動作を定量化したものとして算出してもよい。
【００８８】
（５）
上記実施形態のステップＳ６において、外気温データに基づいて旧型空調機５０ａ，５０ｂ，・・・の運転モードが判断されるようになっていてもよい。例えば、外気温度が２５℃以上であれば、冷房モードと判断されるようになっていてもてよい。当該判断を加えることにより、室内温度が所定の温度条件よりも増エネルギー側にあるか、省エネルギー側にあるかがより正確に判断される。
【産業上の利用可能性】
【００８９】
本発明は、空調機群を管理するコントローラとして有用であり、第１空調機に由来するデータを参照することにより、第１空調機についてだけでなく、第１空調機と異なる第２空調機についても、運用規則を遵守しているか否かを判断することができるという効果を有する。
【符号の説明】
【００９０】
１  建物
１０  コントローラ
１２  制御部
１２ａ  温度取得部（室温取得部）
１２ｂ  実績取得部
１２ｃ  判断部
１２ｄ  運転制御部
１２ｅ  違反量算出部
１５  記憶部
２０  遠隔管理サーバ
３０ａ，３０ｂ，・・・  接点監視機器
４０  新型空調機（第１空調機）
５０ａ，５０ｂ，・・・  旧型空調機（第２空調機）
７０  電力計
８０  管理端末
１００  空調機管理システム
【先行技術文献】
【特許文献】
【００９１】
【特許文献１】特開２００７−１７２４０６号公報
【図１】
2011002151.tif 000003
【図２】
2011002151.tif 000004
【図３】
2011002151.tif 000005
【図４】
2011002151.tif 000006
【図５】
2011002151.tif 000007
【図６】
2011002151.tif 000008